(57)【要約】      （修正有）【課題】新しい動画を普及するためのプラットフォームとしての動画配信システムを提供する【解決手段】広告入り動画配信システムＳは、ユーザ端末Ｔ１に制作する動画のフォーマット又は動画コンテンツを提供する動画コンテンツサーバＳ１と、広告コンテンツサーバＳ２と、ネットワークを介して接続された動画配信システムＳ３と、動画及び広告コンテンツを管理し、配信実績を集計管理する管理サーバＳ４により構成されている。動画は、４コマのセクションから構成され、動画配信システムＳは、前記制作者側のユーザ端末で制作又は選択した動画の１ヶ所か複数箇所に所定間隔で選択した広告コンテンツを挿入して制作された広告入り動画をインターネット上に公開し、公開した動画を閲覧者側の端末で閲覧した際に、前記広告入り動画の制作者及び前記広告コンテンツの提供元を管理して広告に対する対価を計算する。【選択図】図１
2020092303.tif 000002
【特許請求の範囲】
【請求項１】
所定の長さ・解像度の動画の所定箇所に広告を挿入して広告入りの動画を制作し、これを配信する広告入り動画配信システムであって、
制作者側のユーザ端末に制作する動画のフォーマット又は動画コンテンツを提供する動画コンテンツサーバと、
前記動画に挿入するための広告動画コンテンツを格納した広告コンテンツサーバと、ネットワークを介して接続された動画配信システムと、
前記コンテンツサーバに配信された動画及び広告コンテンツを管理し、配信実績を集計管理する管理サーバにより構成され、
前記所定の長さ・解像度の動画は、３〜６の複数セクションから構成され、
前記広告入り動画配信システムは、前記制作者側のユーザ端末で制作又は選択した動画の１ヶ所か複数箇所に所定間隔で選択した広告コンテンツを挿入して制作された広告入り動画をインターネット上に公開し、公開した動画を閲覧者側の端末で閲覧した際に、前記広告入り動画の制作者及び前記広告コンテンツの提供元を管理して広告に対する対価を計算する広告入り動画配信システムにおける複数のセクションから構成された動画であって、前記各セクションの動画を表示する表示部分の一部または動画のフレームの周辺に前記動画に関連する情報を表示する情報表示部を設けたことを特徴とする複数のセクションから構成された動画。
【請求項２】
前記複数のセクションが４つであることを特徴とする請求項１に記載の動画。
【請求項３】
前記動画は商品又はサービスに関するCM動画であり、前記表示部は、前記商品又はサービスに関連するサイトとリンクするリンク情報を表示する項目を有することを特徴とする請求項１または請求項２に記載の動画。
【請求項４】
前記関連するサイトは前記商品又はサービスを購入または利用するためのECサイトでありであることを特徴とする請求項３に記載の動画。
【請求項５】
前記表示部は、前記動画を評価するSNS機能を表示することを特徴とする請求項１から請求項4のいずれか１項に記載の動画。
【請求項６】
前記各フレームはあらかじめ設定した項目であり、前記SNS機能は投稿された動画を評価することを特徴とする請求項５記載の動画。
【請求項７】
前記動画の経過時間を表示するタイマー手段を動画フレームの外側に設けてフレームの所定方向への移動により表示することを特徴とする請求項１から請求項６のいずれか１項に記載の動画。
【請求項８】
投稿サイトの編集画面にコマ送りの速度を１／２倍速、２倍速、４倍速、１０倍速、・・ｎ倍速に設定できる機能を設けることで、語学学習や視力回復、速読能力獲得を含む多目的に使用可能としたことを特徴とする請求項７に記載の動画。
【請求項９】
前記複数のセクションから構成された動画における各セクションは異なる投稿者の動画により構成されていることを特徴とする請求項１から請求項８のいずれか１項に記載の動画。
【請求項１０】
前記複数のセクションから構成された動画は制作用のテンプレートがあらかじめ設けられたテンプレートに従って制作されたものであることを特徴とする請求項１から請求項９のいずれか１項に記載の動画。
【請求項１１】
投稿者による広告を選択可能であることを特徴とする請求項１から請求項１０のいずれか１項に記載の動画。
【請求項１２】
あるひとつのテーマに対して、各フレームで別の観点のとらえ方を並列に視聴できるように構成したことを特徴とする請求項１から請求項１１のいずれか１項に記載の動画。
【請求項１３】
前記数のセクションから構成された動画は所定の地点から所定の地点までの道案内を構成していることを特徴とする請求項１から請求項１１のいずれか１項に記載の動画。
【請求項１４】
前記数のセクションから構成された動画は、災害時伝言板機能を構成していることを特徴とする請求項１から請求項１１のいずれか１項に記載の動画。
【請求項１５】
動画全体を早送りせずあらかじめ設定された時間で視聴した場合、ある一定の確率で動画終了後に表示される広告のあとに、ＱＲコード（登録商標）が表示され、それを端末のバーコードリーダーで読み取り、前記QRコード（登録商標）と紐づけされたURLのサイトにて所定の手続きを経ることで、ユーザは対価を無償にて入手することができることを特徴とする請求項１から請求項１１のいずれか１項に記載の動画。
【発明の詳細な説明】
【技術分野】
【０００１】
本発明は、告入り動画配信システム、配信方法及び広告入り動画の製造方法に関するものである。
【背景技術】
【０００２】
メディア業界に大変革の波が押し寄せてきている。紙媒体メディアは凋落の一途で、大幅に発行部数を減らしつつあり、ＴＶメディアも慢性的な視聴率の低下に喘いでいる。その一方で、急速に勢力を伸ばしつつあるのがネット系のメディアであり、特にプラットフォーマー型メディアである。
このメガトレンドを読み解くキーワードは、「モバイル」「パーソナライズ（個人に最適化）」「５Ｇ」「プラットフォーム」「サブスクリプション」の５つの言葉である。
【０００３】
５Ｇ時代が到来すれば、高画質、大容量のデータ通信が可能となり、動画視聴は常時接続が当たり前となる。映画にドラマ、広告、ニュースなど、あらゆるものが動画化され、且つ、モバイルでの視聴が大幅に増加していくとすると、視聴に対して時間や場所の制限から自由になると同時に、３０〜６０分の長尺の動画よりも数分以内の超短尺の動画がより好まれるかもしれない。
【０００４】
このようなウェブで動画を展開する際の鉄則として、以下の５項目が考えられている。
１  動画は１分以内に納めること
２  頭２秒で視聴者をキャッチすること
３  「同じポジション」は３秒以内に抑えること
４  「ワンショット」よりも「ツーショット」を重視すること
５  基本的に無音。雑誌の作りを意識すること。
【０００５】
一方、インターネットを用いて動画を公開するサイトは種々存在する。その際に、動画を視聴する際に広告を挿入して無料化する試みがみられている。例えば、特許文献１には、視聴の邪魔にならず、有効な広告効果が期待でき、広告代理店の収入増加が図れる動画・映像配信を廉価又は無料で提供するシステムとして、動画・映像コンテンツを保有する配信サーバと、視聴者のクライアント端末とがインターネットを介して接続され、前記配信サーバからクライアント端末に前記動画・映像コンテンツが配信される動画・映像配信システムにおいて、
【０００６】
前記配信サーバは、前記動画・映像コンテンツに広告を瞬間的に映し出されるように挿入する広告挿入手段と、事前に同意した視聴者のクライアント端末のみに広告入りの動画・映像コンテンツを配信する配信管理手段とを有し、前記配信サーバは広告代理店によって管理運営されるように構成したシステムを提供している。
【先行技術文献】
【特許文献】
【０００７】
【特許文献１】特開２００７−８１９７４号公報
【発明の概要】
【発明が解決しようとする課題】
【０００８】
しかしながら、特許文献１は既存の映像に対して無料で視聴できるサービスであるが、新たな映像技術を喚起・奨励するものではない。
【０００９】
したがって、本発明の課題は、新しい動画を普及するためのプラットフォームとしての動画配信システム、動画配信方法及び広告入り動画の制作方法を提供することである。
【課題を解決するための手段】
【００１０】
上記課題を解決する本発明は、次の項目に関する。
１  所定の長さ・解像度の動画の所定箇所に広告を挿入して広告入りの動画を制作し、これを配信する広告入り動画配信システムであって、
制作者側のユーザ端末に制作する動画のフォーマット又は動画コンテンツを提供する動画コンテンツサーバと、
前記動画に挿入するための広告動画コンテンツを格納した広告コンテンツサーバと、ネットワークを介して接続された動画配信システムと、
前記コンテンツサーバに配信された動画及び広告コンテンツを管理し、配信実績を集計管理する管理サーバにより構成され、
前記所定の長さ・解像度の動画は、３〜６の複数セクションから構成され、
前記広告入り動画配信システムは、前記制作者側のユーザ端末で制作又は選択した動画の１ヶ所か複数箇所に所定間隔で選択した広告コンテンツを挿入して制作された広告入り動画をインターネット上に公開し、公開した動画を閲覧者側の端末で閲覧した際に、前記広告入り動画の制作者及び前記広告コンテンツの提供元を管理して広告に対する対価を計算する広告入り動画配信システムにおける複数のセクションから構成された動画であって、前記各セクションの動画を表示する表示部分の一部または動画のフレームの周辺に前記動画に関連する情報を表示する情報表示部を設けたことを特徴とする複数のセクションから構成された動画。
【００１１】
２  前記複数のセクションが４つであることを特徴とする項目１に記載の動画。
３  前記動画は商品又はサービスに関するＣＭ動画であり、前記表示部は、前記商品又はサービスに関連するサイトとリンクするリンク情報を表示する項目を有することを特徴とする項目１または項目２に記載の動画。
４  前記関連するサイトは前記商品又はサービスを購入または利用するためのＥＣサイトでありであることを特徴とする項目３に記載の動画。
【００１２】
５  前記表示部は、前記動画を評価するＳＮＳ機能を表示することを特徴とする項目１から項目４のいずれか１項に記載の動画。
【００１３】
６  前記各フレームはあらかじめ設定した項目であり、前記ＳＮＳ機能は投稿された動画を評価することを特徴とする請求項５記載の動画。
【００１４】
７  前記動画の経過時間を表示するタイマー手段を動画フレームの外側に設けてフレームの所定方向への移動により表示することを特徴とする項目１から項目６のいずれか１項に記載の動画。
【００１５】
８  投稿サイトの編集画面にコマ送りの速度を１／２倍速、２倍速、４倍速、１０倍速、・・ｎ倍速に設定できる機能を設けることで、語学学習や視力回復、速読能力獲得を含む多目的に使用可能としたことを特徴とする項目７に記載の動画。
【００１６】
９  前記複数のセクションから構成された動画における各セクションは異なる投稿者の動画により構成されていることを特徴とする項目１から項目８のいずれか１項に記載の動画。
【００１７】
１０  前記複数のセクションから構成された動画は制作用のテンプレートがあらかじめ設けられたテンプレートに従って制作されたものであることを特徴とする項目１から項目９のいずれか１項に記載の動画。
【００１８】
１１  投稿者による広告を選択可能であることを特徴とする項目１から項目１０のいずれか１項に記載の動画。
【００１９】
１２  あるひとつのテーマ（政治、経済、事件、などのニュース）に対して、各フレームで別の観点でのとらえ方（例えば、国ごとの報道の相違）を並列に視聴できるように構成したことを特徴とする項目１から項目１１のいずれか１項に記載の動画。
【００２０】
１３  前記複数のセクションから構成された動画は所定の地点から所定の地点までの道案内を構成していることを特徴とする請目１から請目１１のいずれか１項に記載の動画。
【００２１】
１４  前記複数のセクションから構成された動画は、災害時伝言板機能を構成していることを特徴とする請目１から請目１１のいずれか１項に記載の動画。
１５  動画全体を早送りせずあらかじめ設定された時間で視聴した場合、ある一定の確率で動画終了後に表示される広告のあとに、ＱＲコード（登録商標）が表示され、それを端末のバーコードリーダーで読み取り、前記QRコード（登録商標）と紐づけされたURLのサイトにて所定の手続きを経ることで、ユーザは対価（仮想通貨や商品等）を無償にて入手することができることを特徴とする項目１から項目１１のいずれか１項に記載の動画。
【発明の効果】
【００２２】
本発明によると、所定の長さ・解像度の動画の所定箇所に広告を挿入して広告入りの動画を制作し、これを配信する広告入り動画配信システムであって、制作者側のユーザ端末に制作する動画のフォーマット又は動画コンテンツを提供する動画コンテンツサーバと、前記動画に挿入するための広告動画コンテンツを格納した広告コンテンツサーバと、ネットワークを介して接続され、前記所定の長さ・解像度の動画は、４コマのセクションから構成され、前記広告入り動画配信システムは、前記制作者側のユーザ端末で制作又は選択した動画の１ヶ所か複数箇所に所定間隔で選択した広告コンテンツを挿入して制作された広告入り動画をインターネット上に公開し、公開した動画を閲覧者側の端末で閲覧した際に、前記広告入り動画の制作者及び前記広告コンテンツの提供元を管理して広告に対する対価を計算することを特徴とする広告入り動画配信システムにおける複数のセクション、好ましくは４セクションから構成された動画であって、前記各セクションの動画を表示する表示部分の一部または動画のフレームの周辺に前記動画に関連する情報を表示する情報表示部を設けたことを特徴とする。
【００２３】
このようなシステムは、例えば所定の長さすなわち約１分以内の短い映像であること、２  頭２秒で視聴者をキャッチすること、３  「同じポジション」は３秒以内に抑えること４  「ワンショット」よりも「ツーショット」を重視すること、５  基本的に無音。雑誌の作りを意識すること。等の新しい映像を構築することができる。
４コマの動画とすることにより起承転結が明確になり新規の映像の需要が喚起できる。これに広告を入れることにより無料で新しい映像の表現の場をつくることができる等のメリットがある。
【００２４】
本発明はこのようなシステムにおいて、複数のセクションから構成された動画であって、前記各セクションの動画を表示する表示部分の一部または動画のフレームの周辺に前記動画に関連する情報を表示する情報表示部を設けたことを特徴とする。このように情報表示部を設けることによって、表現された動画を幅広く活用可能となる。
【図面の簡単な説明】
【００２５】
【図１】本発明の動画配信システム全体を示す図面である。
【図２】本発明の動画配信システムで取り扱うベース動画の構成の一例を示す図面である。
【図３】本発明の動画配信システムで取り扱う広告入り動画の構成の一例を示す図面である。
【図４】本発明の動画配信システムで広告入りの動画を電子メールにより送信する実施形態を示す図面である。
【図５】本発明の動画配信システムで動画を投稿する手順を示すフローチャートである。
【図６】図６で示す動画投稿における映像・音声の編集方法を示す図面である。
【図７】本発明の動画配信システムの適用例を示す図面である。
【図８】本発明の動画配信システムにおける広告料の獲得までの流れを示す図面である。
【図９】本発明の第１実施形態に係る複数のセクションから構成された動画の実施形態を示す図面である。
【図１０】本発明の第２実施形態に係る複数のセクションから構成された動画の実施形態を示す図面である。
【図１１】本発明の第３実施形態に係る複数のセクションから構成された動画の実施形態を示す図面である。
【図１２】本発明の第４実施形態に係る複数のセクションから構成された動画の実施形態を示す図面である。
【図１３Ａ】本発明の第５実施形態に係る複数のセクションから構成された動画の実施形態を示す図面である。
【図１３Ｂ】本発明の第５実施形態に係る複数のセクションから構成された動画の別の実施形態を示す図面である。
【図１４】本発明の第６実施形態に係る複数のセクションから構成された動画の実施形態を示す図面である。
【図１５】本発明の第７実施形態に係る複数のセクションから構成された動画の実施形態を示す図面である。
【図１６】本発明の第８実施形態に係る複数のセクションから構成された動画の実施形態を示す図面である。
【図１７】本発明の第９実施形態に係る複数のセクションから構成された動画の実施形態を示す図面である。
【図１８】本発明の第９実施形態に係る複数のセクションから構成された動画の実施形態を示す図面である。
【発明を実施するための形態】
【００２６】
以下、本発明の実施の形態を添付図面に基づいて説明する。
図１に示す通り、本発明のシステムＳは、所定の長さ・解像度の動画の所定箇所に広告を挿入して広告入りの動画を制作し、これを配信する広告入り動画配信システムである。
【００２７】
このシステムは、制作者側のユーザ端末Ｔ１に制作する動画のフォーマット又は動画コンテンツを提供する動画コンテンツサーバＳ１と、動画に挿入するための広告動画コンテンツを格納した広告コンテンツサーバＳ２（ＣＭコンテンツサーバ）と、ネットワークを介して接続された動画配信システムＳ３と前記コンテンツサーバに配信された動画及び広告コンテンツを管理し、配信実績を集計管理する管理サーバＳ４により構成されている。
【００２８】
本発明において、このようなシステムにおいて取り扱うベースとなる動画は、所定の長さ、一般的には短い映像、具体的には例えば６０秒以内の映像であり、所定の解像度を有している画像であって、複数のセクション、好ましくは４のセクションから構成されている。なお、以下の説明では４つのセクション（以下、４コマ動画ということもある）での動画を説明するが本発明はこれに限定されるもではなく３セクションであっても５〜６セクションであってもよい。
【００２９】
そして本発明のシステムＳは、制作者側のユーザ端末Ｔ１で制作又は選択した動画の１ヶ所か複数箇所に所定間隔で選択した広告コンテンツを挿入して制作された広告入り動画をインターネット上に公開し、公開した動画を閲覧者側の端末Ｔ２で閲覧した際に、広告入り動画の制作者及び前記広告コンテンツの提供元を管理して広告に対する対価を計算する構成となっている。
【００３０】
また、本発明の特定の実施形態において、本発明のシステムＳは、制作者側のユーザ端末Ｔ１で制作又は選択した動画の１ヶ所か複数箇所に所定間隔で選択した広告コンテンツを挿入して制作された広告入り動画を、制作者側端末Ｔ１の要求に応じて指定した特定の個人の端末Ｔ３に配信または告知し、前記広告入り動画の制作者及び前記広告コンテンツの提供元を管理して広告に対する対価を計算する構成としてもよい。
【００３１】
このように構成すると、制作者の個人的知り合いで制作者の制作物を閲覧可能となるだけでなく、付属された広告の広告料をシェアすることも可能となる。
【００３２】
なお、本発明において使用される用語「４のセクションから構成された所定の長さ・解像度の動画」とは、従来技術で記載された下記５項目のうち、少なくとも項目１、好ましくは項目２、３、４より好ましくは全項目を満足する画像であり、目的に応じた解像度を有している。そして、この４コマのセクションから構成された所定の長さ・解像度の動画」は、図２に示す通り４セクションで構成されている。
【００３３】
１  動画は１分以内に納めること
２  頭２秒で視聴者をキャッチすること
３  「同じポジション」は３秒以内に抑えること
４  「ワンショット」よりも「ツーショット」を重視すること
５  基本的に無音。雑誌の作りを意識すること
【００３４】
そして、本発明で広告を組み込んだ４セクションから構成される動画とは、例えば図３に示すような映像である。
【００３５】
このように構成された本発明の動画における各コマは、たとえば、「青」「緑」「黄」「赤」のような色彩を持ったフレームの中で展開表現することが可能である。目立たないように黒色の「濃淡変化」だけの色彩フレームであってもよい。
【００３６】
また、「ｅＭａｉｌ」や「Ｍｅｓｓｅｎｇｅｒ（登録商標名）」、「Ｔｅｌｅｇｒａｍ（登録商標名）」「ＬＩＮＥ（登録商標名）メール」、「＋メッセージ（登録商標名）」などの既存のサービスに添付して知人などの第三者に容易に送信できるサービスシステムを装備することも可能である。
【００３７】
また、本発明の広告入動画における広告について、例えば動画の開始前と終了後に５秒程度の「ＣＭ動画」を挿入することができる。これに加えてあるいはこれに代えて４コマ動画のフレーム内に「広告」を挿入表示することも可能である。
【００３８】
本発明においては、限定されるものではないが動画コンテンツは主に投稿により集めるものとし、この際に広告収入は動画投稿者、並びに視聴者の一部とシェアすることが考えられる。しかしながら、これらの広告収入の分配法については特に限定されず任意に定めることができる。
【００３９】
また、本発明の広告入り動画は、インターネットでＷＥＢ上に公開するだけでなく、例えば特定の相手に送信することができる（図４参照）。例えば、動画画面（広告画面を含む）の枠下段に表示されている各種メールやメッセージサービスに関するアイコンをクリック（或いはタッチ）すると、当該サービスに４コマ動画が添付された状態の画面が表示され、友人など第三者に「４コマ動画」を拡散することができ、これにより当該視聴者は広告収益分配の当事者にエントリーすることができる。
【００４０】
また「４コマ動画」は、例えば投稿サイトでの作り方ボタンや掲載されているガイドラインに従って容易に制作可能である。図５および図６に示す通り、サイトのガイドラインに従い、４コマ動画を
題名⇒「起」⇒「承」⇒「転」⇒「結」
題名⇒「起」⇒「承」⇒「承」⇒「結」
題名⇒「結」⇒「起」⇒「承」⇒「メイキング」
等のパターンで、映像と音声を同時に、或いは個別に編集入力し、編集終了後に投稿ボタンを選択することにより投稿することができる。
【００４１】
「タイトル」を入れて、合計５コマの映像（＋音声）を入力することになるが、１コマ毎に映像と音声の簡単入力編集ができる。仮に１コマが制限時間（例えば６０秒）を超えていて、その中の１５秒だけを利用したいとする。その場合、図６に示す通りマウス操作で開始時間を設定すると自動でそこから１５秒の１コマ分の映像を作成する。音声は同期。逆に、音声から先に設定して映像を同期させてもよい。この作業を５回繰り返すと「４コマ動画」が完成する。このように構成することにより数分でだれでも容易に制作から投稿を一連の作業で行うことができる。
【００４２】
このようにして制作し投稿した広告入り動画は、図７に示す通りに適用される。このように４コマの短時間で視聴できる動画は、現在存在せず新たなコンテンツとして各種分野に適用が可能である。例えば出版社と連携した新たな漫画家を発掘育成することも可能であり、４コマ動画に基づく「芸人」等を育成することも可能であり、４コマ動画作成セミナー、作成アプリケーション開発、等を行うことも可能である。
【００４３】
また、投稿から広告料の獲得までの流れは例えば図８に示す通りである。なお、図１に示す通り本発明の特定の実施形態において、広告コンテンツは制作者側で自由に選択することも可能である。このように広告コンテンツから図２、図３で説明した通り広告を選択して組み込むことにより制作者側は広告を含めた４コマ動画作品を制作することが可能である。この場合「予め、広告動画が制作者側から閲覧可能な状態で保存されていて１）動画制作者が好みのＣＭを選択する。２）ＷＥＢサイト側で、投稿動画自体と選択されたＣＭに関する審査をして、ＯＫなら配信される。」等が考えられる。
【００４４】
本発明においては、このような動画において、各セクションの動画を表示する表示部分の一部または動画のフレームの周辺に前記動画に関連する情報を表示する情報表示部を設けたことを特徴とするものである。
【００４５】
例えば、図９に示す動画においては、ＥＣビジネスとの融合を図るものである。そのために、４コマ動画版ＣＭを作成し、その最終コマのフレーム内にＣＭ商品などを販売するＥＣサイトのＵＲＬを表示して、ＥＣサイトへと誘導する。
【００４６】
また、図１０に示す通り、本発明の動画に基づいて４コマ通販（＋ネット・フリーマーケット）を構築することも可能である。このように本発明において、ネット通販の新しいスタイルとして、ＥＣサイトから４コマ動画通販へと拡張することが可能となる。
【００４７】
さらに、図１１に示す通り、各動画のセクションのフレーム内の下段に図１１に示すようなＳＮＳ機能を設けることができる。そして、各動画のセクション毎に評価を行うことにより本発明の動画を幅広く普及することが可能となる。
【００４８】
また、図１２に示す通り、本発明の４コマ動画を用いてオーディションを行うことができる。例えば、第１セクションの動画を歌唱、第２セクションの動画をダンス、第３セクションの動画を水着、第４セクションの動画をスピーチと設定し、投稿させ、ＳＮＳ評価なども活用して審査することが可能となる。
【００４９】
また、図１３Ａ、図１３Ｂに示す通り、本発明の４コマ動画のフレーム部分にタイマーを設けて動画の経過時間を表示するタイマー手段を動画フレームの外側に設けてフレームの所定方向への移動により表示することもできる。
【００５０】
本発明の別の実施形態において、４コマ動画を４人の別の投稿者によりシェア作成することができる。例えば、動画サイトトップ画面で「シェア作成動画募集」と銘打って「世界のお正月」「日本各地のお正月」などのようにタイトルを提示し、それを見たユーザーにワンフレーム映像（１５秒程度の音声付映像）を投稿してもらい、必要に応じて字幕をつけて「４コマ動画」に合成して自動投稿することにより４コマ動画を完成させることができる。この場合、広告代シェアは、シェア投稿者に均等に分配する。同時に、「シェア作成動画」のタイトルも募集する。
【００５１】
本発明のさらに別の実施形態において、広告主（広告代理店、或いは動画サイト運営側）は、広告を掲載できる動画に対するガイドラインを設定でき、設定されたガイドラインに適う内容の動画投稿者は、投稿する動画に添付される広告を広告一覧から選択（して
添付）することができる。このことにより、広告主（または広告代理店）は、より選ばれ易い広告の開発の必要性に迫られ、広告の質の向上への貢献が可能となる。
【００５２】
また、図１４に示す通り、本発明の４コマ動画を用いて１つのニュース（例えば政治、経済、事件、など）に対し、各国（日本や欧米、ロシア、中韓）の報道（の差異）を並列で視聴できるようにすることができる。すなわち、あるひとつのテーマ（政治、経済、事件、などのニュース）に対して、各フレームで別の観点でのとらえ方（例えば、国ごとの報道の相違）を並列に視聴できるようにすることにより容易に比較が可能となる。
【００５３】
また、図１５に示す通り、本発明の４コマ動画に道案内機能をもたせることができる。例えばタイトル画面に目的地名称、住所、電話番号、メールアドレスなどを表示し、第１のセクションに地図と映像、第２のセクションに経路途中映像１（目印となる映像等）
第３のセクションに経路途中映像２（目印となる映像等）そして第４のセクションに経路途中映像３（目印となる映像等上〜目的地）を設定し交差点や分岐点で映像を使い指示することにより道案内を行うことが可能である。
【００５４】
また、図１６に示す通り、本発明の４コマ動画に災害伝言機能を持たせることができる。例えばタイトル画面に氏名、年齢、電話番号・メアド、現在の居場所などを掲載し、
第１のセクションに顔入りでのメッセージ発信枠（現状説明と家族などへのメッセージ）、第２のセクションに空欄（家族、配偶者たちが投稿できる画面枠）、第３のセクションに友人知人などの投稿枠、そして第４のセクションに仕事仲間などの投稿枠を設けて災害伝言を行うことができる。例えば第１のセクションは６０秒、第２〜第４のセクションの各画面とも５秒×１２件程度の映像で構成することができる。
【００５５】
以上説明した本発明の４コマ動画（３〜６の複数セクション、好ましくは４セクション９で構成された画像は、例えば図１７に示すように幅広い分野に適用可能である。
【００５６】
また、図１８に示す通り、動画全体を早送りせずあらかじめ設定された時間で視聴した場合、ある一定の確率で動画終了後に表示される広告のあとに、ＱＲコード（登録商標）が表示され、それを端末のバーコードリーダーで読み取り、前記QRコード（登録商標）と紐づけされたURLのサイトにて所定の手続きを経ることで、ユーザは対価（仮想通貨や商品等）を無償にて入手する構成にしてもよい。
【符号の説明】
【００５７】
Ｓ    広告入り動画配信システム
Ｓ１  動画コンテンツサーバ
Ｓ２  広告コンテンツサーバ
Ｓ３  動画配信システム
Ｓ４  管理サーバ
Ｔ１  制作側ユーザ端末
Ｔ２  視聴ユーザ端末
Ｔ３  特定ユーザ端末
【図１】
2020092303.tif 000003
【図２】
2020092303.tif 000004
【図３】
2020092303.tif 000005
【図４】
2020092303.tif 000006
【図５】
2020092303.tif 000007
【図６】
2020092303.tif 000008
【図７】
2020092303.tif 000009
【図８】
2020092303.tif 000010
【図９】
2020092303.tif 000011
【図１０】
2020092303.tif 000012
【図１１】
2020092303.tif 000013
【図１２】
2020092303.tif 000014
【図１３Ａ】
2020092303.tif 000015
【図１３Ｂ】
2020092303.tif 000016
【図１４】
2020092303.tif 000017
【図１５】
2020092303.tif 000018
【図１６】
2020092303.tif 000019
【図１７】
2020092303.tif 000020
【図１８】
2020092303.tif 000021